(57)【要約】      （修正有）【課題】キャンドル本体の外面に表した文字や絵等を保護できるだけでなく、文字や絵等を所望の状態で表わすことができ、見た目の良いキャンドルを提供する。【解決手段】キャンドル本体１１の外面に、表示用シート状物１３を配し、表示用シート状物１３の外面を、パラフィン又は蝋からなるコーティング層１４で覆った。表示用シート状物１３は、絵、図、文字若しくは写真が表わされたシート、又は、押し花の薄手の装飾素材とし、難燃加工又は防炎加工が施されたものである。コーティング層１４の厚さは、３ｍｍ以下とする。【選択図】図１
0003231377.tif 000002
【実用新案登録請求の範囲】
【請求項１】
キャンドル本体の外面に、表示用シート状物が配され、
表示用シート状物の外面が、パラフィン又は蝋からなるコーティング層で覆われた
ことを特徴とするキャンドル。
【請求項２】
表示用シート状物が、絵、図、文字若しくは写真等が表わされたシートである請求項１記載のキャンドル。
【請求項３】
前記シートが和紙である請求項２記載のキャンドル。
【請求項４】
表示用シート状物が、押し花等の薄手の装飾素材である請求項１記載のキャンドル。
【請求項５】
表示用シート状物に、難燃加工又は防炎加工が施された請求項１〜４いずれか記載のキャンドル。
【請求項６】
コーティング層の厚さが３ｍｍ以下とされた請求項１〜５いずれか記載のキャンドル。
【考案の詳細な説明】
【技術分野】
【０００１】
本考案は、キャンドルに関する。
【背景技術】
【０００２】
キャンドルには、専ら実用的な用途で用いられるもの（単なる照明手段や加熱手段等として用いられるもの）から、それによる装飾作用や芳香作用を目的として用いられるものまで、多種多様のものがある。キャンドルは、それが有する宗教的な意味合いや、それにより醸し出される雰囲気等により、宗教的な儀式や、イベント会場等においても、重要な役割を果たしている。
【０００３】
キャンドルは、綿糸等からなる燃焼芯の周りに、パラフィンや蝋等の可燃性固形物を成型することによって製造される。これまでには、可燃性固形物で形成される部分（キャンドル本体）の外面に、文字や絵が施すことで、メッセージを伝えたり、装飾作用を高めたりすることができるようにしたキャンドルも提案されている。
【０００４】
例えば、特許文献１の図１には、文字を印刷した粘着シート４を蝋燭本体１（キャンドル本体）の外面に貼り付けた蝋燭（キャンドル）が記載されている。また、特許文献２の図１にも、ロウソク本体１０の外面に文字等を表記したロウソクが記載されている。同文献には、文字等を、印刷やシールや転写により表記することも記載されている。さらに、特許文献３の図１及び図２には、燃焼芯１１を有する内側蝋１０と、内部に植物Ｐを配置した外側蝋２０とを備えたキャンドルが記載されている。
【先行技術文献】
【特許文献】
【０００５】
【特許文献１】実登第３０００１０２号公報
【特許文献２】実登第３１０２２９８号公報
【特許文献３】特許第６４５６００６号公報
【考案の概要】
【考案が解決しようとする課題】
【０００６】
ところが、特許文献１や特許文献２のキャンドルのように、文字等を表わしたシートをキャンドル本体の外面に貼り付けただけでは、そのシートが捲れたり剥がれたりするおそれがある。また、そのシート自体が湿気等で劣化するおそれもある。さらに、キャンドルの見た目が安っぽくなりがちであり、よい雰囲気を醸し出しにくくなる等、その装飾作用も限定的となる。
【０００７】
これに対し、特許文献３のキャンドルのように、キャンドル本体（パラフィンや蝋等で形成された部分）に植物Ｐを埋め込むと、その植物Ｐを蝋等で保護することができる。しかし、立体的な植物Ｐの周囲を蝋で綺麗に固めることは、必ずしも容易ではない。
【０００８】
すなわち、特許文献３に記載された方法で植物Ｐを埋め込むと、植物Ｐの周りに気泡が形成されやすい。植物Ｐの周りに気泡が形成されると、キャンドルの見た目が悪くなってしまう。また、植物Ｐの周囲に蝋を流し込んだ際に、植物Ｐが蝋によって押されて植物Ｐの向きが変わる等、植物Ｐを所望の向き等で維持することも難しい。
【０００９】
本考案は、上記課題を解決するために為されたものであり、キャンドル本体の外面に表した文字や絵等を保護できるだけでなく、文字や絵等を所望の状態で表わすことができ、見た目の良いキャンドルを提供するものである。
【課題を解決するための手段】
【００１０】
上記課題は、
キャンドル本体の外面に、表示用シート状物が配され、
表示用シート状物の外面が、パラフィン又は蝋からなるコーティング層で覆われた
ことを特徴とするキャンドル
を提供することによって解決される。
【００１１】
ここで、「表示用シート状物」とは、表示を目的としたシート状の部材のことを云う。「表示」の概念には、情報伝達を目的とするものだけでなく、装飾を目的とするものも含まれる。表示用シート状物としては、絵、図、文字若しくは写真等が表わされたシート（因州和紙等の和紙等）、又は、押し花等の薄手の装飾素材が例示される。
【００１２】
本考案のキャンドルは、表示用シート状物がコーティング層によって保護された状態となっている。このため、表示用シート状物の劣化等を防止することができる。また、本考案のキャンドルでは、パラフィンや蝋の中に表示用シート状物を埋め込むのではなく、パラフィンや蝋を表示用シート状物の外面にコーティングした状態で設けている。加えて、表示用シート状物は、平坦な形態を有している。このため、表示用シート状物の周辺には気泡が形成されにくい。加えて、パラフィンや蝋に押されて表示用シート状物の向きが変わるといった不具合も生じにくい。したがって、文字や絵等を所望の状態で表わし、キャンドルの見た目を良くすることも可能である。
【００１３】
本考案のキャンドルにおいては、表示用シート状物を、キャンドル本体の外面に糊付けしてもよい。これにより、表示用シート状物の外面に、パラフィン又は蝋でコーティングを施す際に、キャンドル本体に対して表示用シート状物が剥がれたり動いたりすることをより確実に防止することが可能になる。しかし、使用する糊の種類によっては、燃える際に臭いや有害物質を出すおそれがある。この点、キャンドル本体は、通常、パラフィン又は蝋で形成されるため、キャンドル本体の外面自体がある程度の粘着性を有している。このため、表示用シート状物が薄く軽量なものであれば、糊付けしなくても、表示用シート状物の外面をコーティング層で覆うまでの間であれば、キャンドル本体の外面に表示用シート状物を仮止めすることができる。
【００１４】
本考案のキャンドルにおいては、表示用シート状物を可燃素材としてもよい。しかし、この場合には、キャンドルが燃える際に表示用シート状物まで燃えて炎が大きくなりすぎるおそれがある。このため、表示用シート状物は、難燃素材（難燃加工が施された素材）又は防炎素材（防炎加工が施された素材）とすることが好ましい。これにより、キャンドルの炎が大きくなりすぎないようにすることが可能になる。また、キャンドルを使用した後の表示用シート状物を御守等として持っておくことも可能になる。
【００１５】
本考案のキャンドルにおいて、コーティング層の厚さは、特に限定されない。しかし、コーティング層を厚くしすぎると、コーティング層を形成するパラフィン等として透明性の高いものを使用したとしても、表示用シート状物に表した文字や絵等が視認しにくくなるおそれがある。また、パラフィン等をコーティングで厚く形成することは必ずしも容易ではない。このため、コーティング層の厚さは、５ｍｍ以下とすることが好ましい。コーティング層の厚さは、３ｍｍ以下であることがより好ましく、２ｍｍ以下であることがさらに好ましい。
【考案の効果】
【００１６】
以上のように、本考案によって、キャンドル本体の外面に表した文字や絵等を保護できるだけでなく、文字や絵等を所望の状態で表わすことができ、見た目の良いキャンドルを提供することが可能になる。
【図面の簡単な説明】
【００１７】
【図１】本考案に係るキャンドルをその中心を通る平面で切断した状態を示した断面図である。
【図２】仏画を表わした和紙を表示用シート状物として用いたキャンドルを示した斜視図である。
【図３】梵字を表わした和紙を表示用シート状物として用いたキャンドルを示した斜視図である。
【図４】アマビエを表わした和紙を表示用シート状物として用いたキャンドルを示した斜視図である。
【図５】押し花を表示用シート状物として用いたキャンドルを示した斜視図である。
【図６】本考案に係るキャンドルの製造方法を説明する図であって、キャンドル本体の外面にコーティング層を形成している様子を示した断面図である。
【考案を実施するための形態】
【００１８】
本考案のキャンドルの好適な実施形態について図面を用いてより具体的に説明する。以下で述べる構成は、飽くまで一例であり、本考案のキャンドルの技術的範囲は、以下で述べる構成に限定されない。本考案のキャンドルには、考案の趣旨を損なわない範囲で適宜変更を施すことができる。
【００１９】
図１は、本考案に係るキャンドル１０をその中心を通る平面で切断した状態を示した断面図である。本考案のキャンドル１０は、図１に示すように、キャンドル本体１１と、キャンドル本体１１から突出する燃焼芯１２とを備えている。キャンドル本体１１は、通常、パラフィンや蝋等の可燃性固形物を、加熱して溶かした状態で成形型（図示省略）に流し込み、成形型内で冷却して固化させることによって形成される。燃焼芯１２には、綿紐等の可燃性線材が用いられる。この燃焼芯１２は、通常、上記の成形型に予め配された状態とされ、キャンドル本体１１と一体的に形成される。
【００２０】
このキャンドル１０は、燃焼芯１２の上部（キャンドル本体から飛び出た部分）に火をつけることによって使用される。燃焼芯１２に火をつけると、その熱によって、燃焼芯１２の付根付近のキャンドル本体１２が溶けて液体になる。その溶けた液体（液状のパラフィンや蝋）は、毛細管現象により、燃焼芯１２に染み込んで、燃焼芯１２内を上昇していく。燃焼芯１２内を上昇する液体（液状のパラフィンや蝋）は、火によって熱せられて気体となり、空気中の酸素と結びついて燃焼する。この現象が繰り返し行われることによって、燃焼芯１２につけられた火が長時間燃焼し続ける。燃焼芯１２につけられた火は、照明や熱源として利用されることになる。
【００２１】
本考案のキャンドル１０においては、キャンドル本体１１の外面に、表示用シート状物１３が配されている。このため、表示用シート状物１３を通じて、装飾や情報伝達を行うことができるようになっている。この表示用シート状物１３の外面は、コーティング層１４で覆われている。このため、表示用シート状物１３は、コーティング層１４によって、剥がれや劣化等から保護された状態となっている。コーティング層１４は、キャンドル本体１１と同様、パラフィンや蝋等によって形成されている。
【００２２】
表示用シート状物１３としては、絵や図や文字若しくは写真等が表わされたシートが例示される。シートとしては、紙を好適に用いることができるが、なかでも、因州和紙等の和紙は、キャンドル１０の雰囲気を良くしてキャンドル１０の見た目を良くするだけでなく、キャンドル１０に高級感を付与することができるため、表示用シート状物１３として好適に使用することができる。表示用シート状物１３に対する絵や図や文字等の表し方は、手書きや印刷や転写等が例示される。表示用シート状物１３には、難燃加工又は防炎素材を施すことが好ましい。これにより、キャンドル１０の炎が大きくなりすぎないようにすることが可能になる。また、キャンドル１０を使用した後の表示用シート状物１３を御守等として持っておくことも可能になる。
【００２３】
図２は、仏画を表わした和紙１３ａを表示用シート状物１３として用いたキャンドル１０を示した斜視図である。図２のキャンドル１０では、仏画として観音菩薩を表わしているが、他のモチーフを表わしてもよい。また、仏画の隣には、「貪瞋痴」等の文字を表わすこともできる。「貪瞋痴」（とんじんち）は、仏教において、苦しみの原因となる煩悩のうち最も根源的であると言われる三毒（貪欲・瞋恚・愚痴）を意味する。キャンドル１０に「貪瞋痴」の文字を表わすことによって、そのキャンドル１０が、三毒から解放されて安らかで楽しい人生を歩めるようになることにつき、ご利益があるものであることが伝わりやすくなる。
【００２４】
図３は、梵字を表わした和紙１３ｃを表示用シート状物１３として用いたキャンドル１０を示した斜視図である。図３の梵字は、「キリーク」と呼ばれるものである。「キリーク」は、千手観音菩薩や阿弥陀如来を表わしたものである。千手観音菩薩は、千の目と手で一切の悩みを救い、願い事を全て叶えてくれると言われており、子年生まれや１２月生まれの人の御守本尊と言われている。また、阿弥陀如来は、信じる者を極楽浄土へ導くと言われており、戌年生まれや亥年生まれや１０月生まれの人の御守本尊と言われている。このため、図３のキャンドル１０は、子年生まれや戌年生まれや亥年生まれや１２月生まれの人に特に御利益がある。
【００２５】
梵字としては、上記の「キリーク」のほか、虚空蔵菩薩を表わす「タラーク」や、文殊菩薩を表わす「マン」や、普賢菩薩を表わす「アン」や、勢至菩薩を表わす「サク」や、大日如来を表わす「バン」や、不動明王を表わす「カーン」等がある。これらの梵字をキャンドル１０に表すこともできる。虚空蔵菩薩は、丑年生まれや寅年生まれや１月生まれや２月生まれの御守本尊であり、そのシンボルである梵字「タラーク」を表わしたキャンドル１０は、これらの人に特に御利益がある。文殊菩薩は、卯年生まれや３月生まれの人の御守本尊であり、そのシンボルである梵字「マン」を表わしたキャンドル１０は、これらの人に特に御利益がある。普賢菩薩は、辰年生まれと巳年生まれと４月生まれの人の御守本尊であり、そのシンボルである梵字「アン」を表わしたキャンドル１０は、これらの人に特に御利益がある。勢至菩薩は、午年生まれと６月生まれの人の御守本尊であり、そのシンボルである梵字「サク」を表わしたキャンドル１０は、これらの人に特に御利益がある。大日如来は、申年生まれと未年生まれと７月生まれと８月生まれの人の御守本尊であり、そのシンボルである梵字「バン」を表わしたキャンドル１０は、これらの人に特に御利益がある。不動明王は、酉年生まれと９月生まれの人の御守本尊であり、そのシンボルである梵字「カーン」を表わしたキャンドル１０は、これらの人に特に御利益がある。
【００２６】
図４は、アマビエを表わした和紙１３ｂを表示用シート状物１３として用いたキャンドル１０を示した斜視図である。アマビエは、疫病除けに御利益があると言われている妖怪である。このため、図４のキャンドル１０は、疫病除けに御利益がある。また、図４のキャンドル１０は、アマビエが可愛らしくデザインされているため、部屋等を飾る置物としても好適である。
【００２７】
また、図示はしていないが、表示用シート状物１３は、写真（写真を印刷した紙等）とすることもできる。例えば、亡くなった人を撮影した写真を表示用シート状物１３に用いたキャンドル１０に火を灯すことで、その人を供養するといった利用形態が考えられる。また、お洒落な風景を撮影した写真を表示用シート状物１３に用いたキャンドル１０を、部屋等を飾る置物として使用するといったことも考えられる。
【００２８】
ここまでは、表示用シート状物１３として、絵や文字等を記したシートを用いる場合について説明したが、表示用シート状物１３は、それ自体が表示機能や装飾機能を有するのであれば、絵や文字等を記したものでなくてもよい。図５は、押し花１３ｄを表示用シート状物１３として用いたキャンドル１０を示した斜視図である。このように、表示用シート状物１３は、絵や文字等を記したものでなくても、押し花のように、それ自体の形態で装飾や情報伝達を行うことができるものであってもよい。押し花以外の例としては、花びらや、葉っぱや、切り絵等が挙げられる。
【００２９】
このように、本考案のキャンドル１０は、それに表す絵の種類や表わし方によって、その用途が決まる。
【００３０】
図２〜５の例において、キャンドル本体１１は、円柱状となっているが、キャンドル本体１１の形態は、これに限定されない。キャンドル本体１１は、円柱状のほか、多角柱状（三角柱状や四角柱状等）や楕円柱状とすることができる。また、キャンドル本体１１は、柱状である必要もなく、円錐状や多角錐状（三角錐状や四角錐状等）等、他の立体形状とすることもできる。キャンドル本体１１は、花や果物やキャラクター等に模した形状とすることもできる。ただし、キャンドル本体１１を複雑な形状にしすぎると、表示用シート状物１３を、キャンドル本体１１の外面に綺麗に沿わせにくくなって、キャンドル１０の見た目が悪くなるおそれがある。このため、キャンドル本体１１は、その表面に複雑な凹凸等を有さないシンプルな形状とすることが好ましい。
【００３１】
コーティング層１４の設け方は、特に限定されない。コーティング層１４は、その原料（加熱して溶かした状態のパラフィンや蝋等）を、ローラーや刷毛等で表示用シート状物１３の外面に塗布することによって設けることもできる。しかし、この場合には、コーティング層１４を均一な厚さで形成しにくいことに加えて、塗布作業に手間を要する。このため、本実施形態のキャンドル１０においては、図６に示すように、浸漬槽２０に入れられた原料３０に、キャンドル本体１１を浸漬することによって、コーティング層１４を形成するようにしている。図６は、キャンドル本体１１の外面にコーティング層１４を形成している様子を示した断面図である。
【００３２】
原料３０は、パラフィンや蝋等の可燃性固形物を加熱により溶かした状態のものである。浸漬槽２０を、図示省略の加熱手段により、常時加熱した状態とすると、浸漬槽２０の中の原料３０が固まらないようにすることができる。この原料３０の中にキャンドル本体１１を浸漬すると、キャンドル本体１１や表示用シート状物１３の外面に、原料３０が略一定の厚さで付着する。キャンドル本体１１は、少なくとも表示用シート状物１３が設けられた箇所を原料３０中に浸漬すれば足りるが、本実施形態のキャンドル１０では、キャンドル本体１１の略全体を原料３０に浸漬している。表示用シート状物１３は、キャンドル本体１１の外面が有する粘着性によって、キャンドル本体１１の外面に仮止めされた状態となっているため、キャンドル本体１１を原料３０中に浸漬しても、表示用シート状物１３が捲れたり、表示用シート状物１３の位置が変わったりしないようになっている。
【００３３】
原料３０中にキャンドル本体１１を一定時間浸漬した後、キャンドル本体１１を引き上げて冷却すると、キャンドル本体１１や表示用シート状物１３の外面に付着していた原料３０が固化した状態となる。原料３０からキャンドル本体１１を引き上げた際には、原料３０（コーティング層１４）の外面をヘラ等で整えてもよい。図６に示す方法でコーティング層１４を形成することで、コーティング層１４を略均一な厚さで形成することが可能になる。また、コーティング層１４（特に、表示用シート状物１３の周辺）に気泡が形成されにくくすることもできる。したがって、表示用シート状物１３に表された絵や図や文字等を視認しやすくし、キャンドル１０の見た目を良くすることができる。
【００３４】
コーティング層１４を形成するパラフィンや蝋等は、キャンドル本体１１を形成するパラフィンや蝋等と同種類のものを用いることが好ましい。これにより、キャンドル本体１１に対するコーティング層１４の一体性を高め、コーティング層１４を剥離しにくくすることが可能になる。ただし、コーティング層１４を形成するパラフィン等と、キャンドル本体１１を形成するパラフィン等とで、色は変えてもよい。というのも、表示用シート状物１３の視認性を高めるためには、コーティング層１４を形成するパラフィン等は、できるだけ透明性の高いもの（無色透明に近いもの）を使用することが好ましいところ、キャンドル本体１１は、赤色等、他の色としたい場合もあるからである。
【００３５】
既に述べたように、表示用シート状物１３の視認性を考慮すると、コーティング層１４の厚さは、５ｍｍ以下とすることが好ましく、３ｍｍ以下であることがより好ましく、２ｍｍ以下であることがさらに好ましい。ただし、コーティング層１４を薄くしすぎると、コーティング層１４が脆くなり、表示用シート状物１３の保護効果が低下するおそれがある。このため、コーティング層１４の厚さは、０．１ｍｍ以上とすることが好ましい。コーティング層１４の厚さは、０．３ｍｍ以上とすることがより好ましく、０．５ｍｍ以上とすることがさらに好ましい。コーティング層１４の厚さは、コーティング層１４を形成するパラフィン等の種類や、それを溶かす温度や、原料３０への浸漬時間等によって変わる。
【符号の説明】
【００３６】
１０    キャンドル
１１    キャンドル本体
１２    燃焼芯
１３    表示用シート状物
１３ａ  仏画を表わした和紙
１３ｂ  アマビエを表わした和紙
１３ｃ  梵字を表わした和紙
１３ｄ  押し花
１４    コーティング層
２０    浸漬槽
３０    原料
【図１】
0003231377.tif 000003
【図２】
0003231377.tif 000004
【図３】
0003231377.tif 000005
【図４】
0003231377.tif 000006
【図５】
0003231377.tif 000007
【図６】
0003231377.tif 000008
【手続補正書】
【提出日】令和3年1月22日(2021.1.22)
【手続補正１】
【補正対象書類名】実用新案登録請求の範囲
【補正対象項目名】全文
【補正方法】変更
【補正の内容】
【実用新案登録請求の範囲】
【請求項１】
キャンドル本体の外面に、表示用シート状物が配され、
表示用シート状物の外面が、パラフィン又は蝋からなるコーティング層で覆われた
ことを特徴とするキャンドル。
【請求項２】
表示用シート状物が、絵、図、文字若しくは写真が表わされたシートである請求項１記載のキャンドル。
【請求項３】
前記シートが和紙である請求項２記載のキャンドル。
【請求項４】
表示用シート状物が、薄手の装飾素材である請求項１記載のキャンドル。
【請求項５】
表示用シート状物に、難燃加工又は防炎加工が施された請求項１〜４いずれか記載のキャンドル。
【請求項６】
コーティング層の厚さが３ｍｍ以下とされた請求項１〜５いずれか記載のキャンドル。